(57)【特許請求の範囲】
【請求項１】
（ａ）  支柱（５８）の柱脚（３７）に、フランジ（７０）・（７１）を水平にして、Ｈ形鋼梁（７６）を接合してＨ形鋼連続基礎梁（３６）が構成され、
（ｂ）  そのＨ形鋼梁（７６）の上側フランジ（７０）に９０ｃｍ以下の間隔をもってＨ形鋼梁（７６）の長さ方向にボルト差込孔（７７ａ）・（７７ｂ）・（７７ｃ）………が穿設されており、
（ｃ）  上側フランジ（７０）のボルト差込孔（７７）に装着したボルト（７８）によって床梁（８１）や階段フレーム（８２）、ＡＬＣ壁板（８３）、壁パネルなどの建築資材を取り付ける建築金物（９１）・（９２）・（９３）………が、Ｈ形鋼梁（７６）の上側フランジ（７０）の上面に接合されており、
（ｄ）  その上側フランジ（７０）に突設された建築金物（９１）・（９２）・（９３）………を介して床梁（８１）や階段フレーム（８２）、ＡＬＣ壁板（８３）、壁パネルなどの建築部材が、レベルおよび出入りと左右の位置を揃えて、Ｈ形鋼連続基礎梁（３６）に取り付けられており、
（ｅ）  Ｈ形鋼梁（７６）が、メッシュ筋や鉄筋で囲まれてコンクリート（８７）に包み込まれており、
（ｆ）  その包み込んでいるコンクリート（８７）の外部に、建築金物（９１）・（９２）・（９３）………が突き出ていることを特徴とするＨ形鋼連続基礎梁の建築部材取合構造。
【発明の詳細な説明】
【０００１】
【産業上の利用分野】
本発明は建築物の基礎に関するものである。
【０００２】
【従来の技術】
コンクリート基礎梁を打設する場合、地中を深く堀り下げて捨てコンクリートを打設し、その上にアンカーフレームと地中梁の配筋を行い、それらの鉄筋の周りを型枠で囲んでコンクリートを打ち込み、コンクリートの硬化後に型枠を取り外し、その取り出した土を埋め戻す一連の作業が行われる。
【０００３】
かかる従来工法では、コンクリート基礎梁を打設するために堀り下げた建築物には、周囲を囲む深い溝が出来るので、コンクリート基礎梁が出来て土を埋め戻すまでに建築資材を建築現場に持ち込むことは困難である。
そして、堀り出した土の搬出と埋め戻す土の搬入や型枠の搬入・搬出、配筋や型枠の組み立て・解体に多大な労力を要する。
而も、その打ち込んだコンクリートの養生に長時間を要するので建築工事を短期化することは出来ない。
【０００４】
建築工事の短期化のためにはコンクリート基礎梁に代えてＨ形鋼梁を使用することが考えられる。
しかし、Ｈ形鋼梁は地中から湧き出る湿気によって腐蝕し易く耐用性の面で問題がある。
そこで、Ｈ形鋼梁をコンクリートで包み込み全面被覆することが試みられた。
【０００５】
【発明が解決しようとする課題】
Ｈ形鋼梁をコンクリートで包み込むには、先ずメッシュ筋や細手の鉄筋でＨ形鋼梁の周りを囲み、その周りを形枠で囲んでコンクリートを打設することになる。
しかし、コンクリートを打設すると、床梁や階段フレーム、ＡＬＣ壁板、壁パネルなどの建築部材のＨ形鋼連続基礎梁への取り付けが困難になる。
【０００６】
【発明の目的】
そこで本発明は、コンクリートに包み込まれたＨ形鋼梁に床梁や階段フレーム、ＡＬＣ壁板、壁パネルなどの建築部材を、レベルや出入り、左右の位置を所定の位置に揃えて簡便に取り付けられるようにすることを目的とする。
【０００７】
【課題を解決するための手段】
本発明のＨ形鋼連続基礎梁の建築部材取合構造は、
（ａ）  支柱（５８）の柱脚（３７）に、フランジ（７０）・（７１）を水平にして、Ｈ形鋼梁（７６）を接合してＨ形鋼連続基礎梁（３６）が構成され、
（ｂ）  そのＨ形鋼梁（７６）の上側フランジ（７０）に９０ｃｍ以下の間隔をもってＨ形鋼梁（７６）の長さ方向にボルト差込孔（７７ａ）・（７７ｂ）・（７７ｃ）………が穿設されており、
（ｃ）  上側フランジ（７０）のボルト差込孔（７７）に装着したボルト（７８）によって床梁（８１）や階段フレーム（８２）、ＡＬＣ壁板（８３）、壁パネルなどの建築資材を取り付ける建築金物（９１）・（９２）・（９３）………が、Ｈ形鋼梁（７６）の上側フランジ（７０）の上面に接合されており、
（ｄ）  その上側フランジ（７０）に突設された建築金物（９１）・（９２）・（９３）………を介して床梁（８１）や階段フレーム（８２）、ＡＬＣ壁板（８３）、壁パネルなどの建築部材が、レベルおよび出入りと左右の位置を揃えて、Ｈ形鋼連続基礎梁（３６）に取り付けられており、
（ｅ）  Ｈ形鋼梁（７６）が、メッシュ筋や鉄筋で囲まれてコンクリート（８７）に包み込まれており、
（ｆ）  その包み込んでいるコンクリート（８７）の外部に、建築金物（９１）・（９２）・（９３）………が突き出ていることを特徴とする。
【０００９】
【第１実施例】
以下、図示する実施例により本発明を説明する。
図１は本発明の第１実施例を図示し、支柱５８の柱脚３７にＨ形鋼梁７６のフランジ７０・７１を水平に取り付けてＨ形鋼連続基礎梁３６が構成され、そのＨ形鋼梁７６の上側フランジ７０に２０ｃｍの間隔をもってＨ形鋼梁７６の長さ方向にボルト差込孔７７ａ・７７ｂ・７７ｃ………が穿設されている。
アンカーボルト８４は、上側フランジ７０の所定の位置のボルト差込孔７７に係止されている。
図中、８５は主筋であり、８６はスターラップ筋であり、これらにはコンクリート基礎梁に使用される鉄筋よりも細手のものを使用してもよい。
【００１０】
この実施例では、支柱５８の柱脚３７に溶接して突設したブラケット梁にＨ形鋼梁７６をスプライスプレートと高力ボルトによって接合しているが、支柱５８の下端にジョイントボックスを取り付けて柱脚３７とし、一方、Ｈ形鋼梁７６の仕口にはエンドプレートを溶接しておき、そのジョイントボックスにエンドプレートを高力ボルトによって接合してＨ形鋼連続基礎梁３６を構成することも出来る。
【００１１】
【第２実施例】
図２は本発明の第２実施例を図示し、上側フランジ７０のボルト差込孔７７に装着したボルト７８によって床梁取付金物９１がＨ形鋼梁７６の上側フランジ７０の上面に接合されており、その上側フランジ７０に突設された床梁取付金物９１を介して床梁８１がＨ形鋼連続基礎梁３６に天端を揃えて取り付けられている。
図中、８７はコンクリートである。
【００１２】
【第３実施例】
図３は本発明の第３実施例を図示し、上側フランジ７０のボルト差込孔７７に装着したボルト７８によって階段取付金物９２がＨ形鋼梁７６の上側フランジ７０の上面に接合されており、その上側フランジ７０に突設された階段取付金物９２を介して階段フレーム８２がＨ形鋼連続基礎梁３６に天端を揃えて取り付けられている。
【００１３】
【第４実施例】
図４は本発明の第４実施例を図示し、上側フランジ７０のボルト差込孔７７に装着したボルト７８によってパネル取付金物９３がＨ形鋼梁７６の上側フランジ７０の上面に接合されており、そのパネル取付金物９３に突設したボルト９４によってＦレール９５がＨ形鋼連続基礎梁３６に取り付けられている。
ＡＬＣ壁板８３は、下端をＦレール９５に載せ、係止舌片９６をＦレール９５のレール９７に引っ掛けて係止されている。
Ｈ形鋼連続基礎梁３６に床下換気口３８を取り付ける場合には、図５に図示するように、Ｆレール９５にブラケット３９を螺子止めし、そのブラケット３９に床下換気口３８を螺子止めする。
【００１４】
【第５実施例】
図６と図７は本発明の第５実施例を図示し、この実施例ではＨ形鋼梁７６は鉄筋やコンクリートに包み込まれることなく、そのままＨ形鋼連続基礎梁３６を構成している。
８３はＡＬＣ壁板である。ＡＬＣ壁板８３は、その裏面に螺子止めした係止舌片９６を、Ｈ形鋼梁７６の上側フランジ７０のボルト差込孔７７に装着したボルト７８によって係止したＦレール９５のレール９７に引っ掛けてＨ形鋼連続基礎梁３６に取り付けられている。
Ｈ形鋼連続基礎梁３６の前面は、Ｈ形鋼梁７６の上側フランジ７０に螺子止めしたフアスナー４０と下側フランジ７１に螺子止めしたフアスナー４１に化粧ブロック９９を螺子止めして仕上げられている（図６）。
図７は、Ｈ形鋼連続基礎梁３６の前面の他の仕上法を図示し、Ｈ形鋼連続基礎梁３６の前面は、犬走りコンクリート９８に固定した化粧ブロック９９によって仕上げられている。
【００１５】
【発明の効果】
上記の通り本発明では、支柱５８の柱脚３７にＨ形鋼梁７６のフランジ７０・７１を水平に接合してＨ形鋼連続基礎梁３６が構成される。
そのＨ形鋼梁７６の上側フランジ７０に９０ｃｍ以下の間隔をもってＨ形鋼梁７６の長さ方向にボルト差込孔７７ａ・７７ｂ・７７ｃ………が穿設されている。
このため、建物のディティールに合わせて床梁取付金物９１、階段取付金物９２、パネル取付金物９３などの建築金物を、所要の箇所のボルト差込孔７７に差し込んだボルト７８によってＨ形鋼梁７６に取り付け、それらの建築金物９１・９２・９３………を介して床梁８１や階段フレーム８２、ＡＬＣ壁板８３、壁パネルなどの建築部材をＨ形鋼連続基礎梁３６に取り付けることが出来る。
そうすることによって、それらの建築部材を簡便に所定のレベルおよび出入りと左右の位置に揃えることが出来るようになる。
【図面の簡単な説明】
【図１】本発明の第１実施例に係るＨ形鋼連続基礎梁の斜視図である。
【図２】本発明の第２実施例に係るＨ形鋼連続基礎梁と床梁との取付箇所における断面図である。
【図３】本発明の第３実施例に係るＨ形鋼連続基礎梁と階段フレームとの取付箇所における断面図である。
【図４】本発明の第４実施例に係るＨ形鋼連続基礎梁とＡＬＣ壁板との取付箇所における断面図である。
【図５】本発明の第４実施例に係るＨ形鋼連続基礎梁の床下換気口の取付箇所における斜視図である。
【図６】本発明の第５実施例に係るＨ形鋼連続基礎梁とＡＬＣ壁板との取付箇所における断面図である。
【図７】本発明の第５実施例に係るＨ形鋼連続基礎梁とＡＬＣ壁板との取付箇所における断面図である。
【符号の説明】
３６  Ｈ形鋼連続基礎梁
３７  柱脚
３８  床下換気口
３９  ブラケット
４０  フアスナー
４１  フアスナー
５８  支柱
７０  上側フランジ
７１  下側フランジ
７６  Ｈ形鋼梁
７７  ボルト差込孔
７８  ボルト
８１  床梁
８２  階段フレーム
８３  ＡＬＣ壁板
８４  アンカーボルト
８５  主筋
８６  スターラップ筋
８７  コンクリート
８９  床パネル
９１  床梁取付金物
９２  階段取付金物
９３  パネル取付金物
９４  ボルト
９５  Ｆレール
９６  係止舌片
９７  レール
９８  コンクリート
９９  化粧ブロック
【図１】
0003682588.tif 000002
【図２】
0003682588.tif 000003
【図３】
0003682588.tif 000004
【図４】
0003682588.tif 000005
【図５】
0003682588.tif 000006
【図６】
0003682588.tif 000007
【図７】
0003682588.tif 000008